(57)【要約】【課題】筺体（３）と透明保護板（５）との間に隙間がなく、完全な防水、防塵が得られる光学式タッチパネルを提供する。【解決手段】透明性が求められる透明保護板（５）を、赤外線透過性が求められる筺体（３）を透明材料で一体成形し、筺体（３）の表面に赤外線透過層（１３）を付着させる。筺体（３）の表示窓孔を施蓋するように透明保護板（５）が一体成形されるので、凹部（９）の内底に水滴や埃塵が侵入するような隙間が生じない。【選択図】  図２
2004318258.tif 000002
【特許請求の範囲】
【請求項１】
入力操作領域（１０）となる凹部（９）の内底に表示窓孔が形成された筺体（３）と、
凹部（９）の内壁面（９Ａ）に沿った筺体（３）内に所定の間隔で配設され、入力操作領域（１０）に赤外走査光を発光する複数の発光手段（７）と、
それぞれが凹部（９）を挟み、対となる発光手段（７）と対向する筺体（３）内の部位に配設され、対となる発光手段（７）の赤外走査光を受光する複数の受光手段（８）と、
表示窓孔を覆うように、凹部（９）の内底に沿って配設される透明保護板（５）と、
透明保護板（５）の内方に配設され、表示窓孔を通して外方から目視可能な指示入力情報（１１）を表示する表示パネル（４）とを備え、
指示入力情報（１１）への指示入力が入力操作領域（１０）で赤外走査光を遮断することから、入力操作領域（１０）の指示入力位置を検出する光学式タッチパネルであって、
筺体（３）は、透明合成樹脂材料により、表示窓孔を施蓋する透明保護板（５）と一体に成形され、
赤外線透過層（１２）が筺体（３）の表面（３Ａ、９Ａ）に付着していることを特徴とする光学式タッチパネル。
【請求項２】
赤外線透過層は、筺体（３）と透明保護板（５）を一体に成形する際に、筺体（３）の表面（３Ａ、９Ａ）にインモールド成形された赤外線透過インキフィルムであることを特徴とする請求項１に記載の光学式タッチパネル。
【請求項３】
入力操作領域（１０）となる凹部（９）の内底に表示窓孔が形成された筺体（３）と、
凹部（９）の内壁面（９Ａ）に沿った筺体（３）内に所定の間隔で配設され、入力操作領域（１０）に赤外走査光を発光する複数の発光手段（７）と、
それぞれが凹部（９）を挟み、対となる発光手段（７）と対向する筺体（３）内の部位に配設され、対となる発光手段（７）の赤外走査光を受光する複数の受光手段（８）と、
表示窓孔を覆うように、凹部（９）の内底に沿って配設される透明保護板（５）と、
透明保護板（５）の内方に配設され、表示窓孔を通して外方から目視可能な指示入力情報（１１）を表示する表示パネル（４）とを備え、
指示入力情報（１１）への指示入力が入力操作領域（１０）で赤外走査光を遮断することから、入力操作領域（１０）の指示入力位置を検出する光学式タッチパネルであって、
筺体（３）は、透明合成樹脂材料により、表示窓孔を施蓋する透明保護板（５）と一体に成形され、
筺体（３）と透明保護板（５）の表面（３Ａ、５Ａ、９Ａ）は、筺体（３）と透明保護板（５）を一体に成形する際にインモールド成形された赤外透過インキ（２２）と遮光インキ（２３）とハードコートインキ（２４）からなるインキフイルムで覆われ、
筺体（３）の凹部（９）の内壁面（９Ａ）と、凹部（９）の内壁面（９Ａ）を除く筺体（３）の表面（３Ａ）と、透明保護板（５）の表面（５Ａ）に、それぞれインキフィルムの赤外線透過インキ（２２）と遮光インキ（２３）とハードコートインキ（２４）が付着していることを特徴とする光学式タッチパネル。
【請求項４】
入力操作領域（１０）となる凹部（９）の内底に表示窓孔が形成された筺体（３１）と、
凹部（９）の内壁面（９Ａ）に沿った筺体（３１）内に所定の間隔で配設され、入力操作領域（１０）に赤外走査光を発光する複数の発光手段（７）と、
それぞれが凹部（９）を挟み、対となる発光手段（７）と対向する筺体（３１）内の部位に配設され、対となる発光手段（７）の赤外走査光を受光する複数の受光手段（８）と、
表示窓孔を覆うように、凹部（９）の内底に沿って配設される透明保護板（３２）と、
透明保護板（３２）の内方に配設され、表示窓孔を通して外方から目視可能な指示入力情報（１１）を表示する表示パネル（４）とを備え、
指示入力情報（１１）への指示入力が入力操作領域（１０）で赤外走査光を遮断することから、入力操作領域（１０）の指示入力位置を検出する光学式タッチパネルであって、
赤外線透過材料から成形する筺体（３１）と、透明材料から成形する透明保護板（３２）とを一体に成形し、表示窓孔を透明保護板（３２）で施蓋することを特徴とする光学式タッチパネル。
【発明の詳細な説明】
【０００１】
【発明の属する技術分野】
本発明は、表示パネルに表示される指示入力情報を見ながら、所定の命令を実行させる光学式タッチパネルに関し、更に詳しくは、入力操作領域が形成される凹部の内底から水滴や塵埃を侵入させない光学式タッチパネルに関する。
【０００２】
【従来の技術】
従来、ＣＲＴや液晶表示装置で構成された表示パネル上に、光学式タッチパネルを積層させた光学式タッチパネルが知られている（例えば特許文献１参照）。表示パネルには、種々の指示入力の為の情報が表示され、操作者は、光学式タッチパネルの入力操作領域において、これらの表示をみながら、対応する位置を指示入力する。
【０００３】
【特許文献１】
特公平７−８２４１９号（第２頁、第１図）
【０００４】
以下、この種の従来の光学式タッチパネル１００を図５で説明すると、光学式タッチパネル１００は、上方に開口する凹部１０５が形成されたベゼル１０１内に、液晶表示パネル１０２と、液晶表示パネル１０２の表面を保護する透明ガラス基板１０３が積層配置されている。
【０００５】
凹部１０５の内底は、内方に貫通する表示窓孔１０６となっていて、この表示窓孔１０６覆うように配置された透明ガラス基板１０３の下方に液晶表示パネル１０２の表示領域が配設される。透明ガラス基板１０３は、指示入力の際に凹部１０５内へ挿入するペンや指が、直接液晶表示パネル１０２に触れないように保護するものである。
【０００６】
液晶表示パネル１０２は、指示入力の用途に応じて、図示しない液晶ドライバーにより表示領域へ所定の指示入力情報を表示し、操作者は、表示窓孔１０６と透明ガラス基板１０３を通してこの指示入力情報を確認することができる。
【０００７】
凹部１０５周囲のベゼル１０１内には、凹部１０５の内壁面に沿って複数の赤外発光素子１０８が取り付けられ、この赤外発光素子１０８から発光される赤外走査光は、凹部１０５内の入力操作領域１０５Ａを挟み対向位置のベゼル１０１内の個々の赤外発光素子１０８に対して配設された赤外受光素子１０９で受光する。ここで、赤外発光素子１０８から発光される赤外走査光を、凹部１０５へ通過させ、また、外来光を遮断し、凹部１０５を通過する赤外走査光のみを赤外受光素子１０９が受光するように、合成樹脂で成形されたベゼル１０１は赤外線透過材料で形成されている。
【０００８】
操作者がペン若しくは指を入力操作領域１０５Ａの所定の指示入力位置へ置くと、その指示入力位置を通過する赤外走査光が遮断されるので、その光路上の赤外受光素子１０９が、対となる赤外発光素子１０８の発光タイミングで受光せず、これにより入力操作領域１０５Ａへの指示入力位置が検出される。
【０００９】
入力操作領域１０５Ａは、液晶表示パネル１０２の表示領域上にあるので、操作者は、透明ガラス基板１０３を介して表示窓孔１０６から液晶表示パネル１０２の指示入力情報を見ながら、指示入力を行うことができる。
【００１０】
【発明が解決しようとする課題】
この従来の光学式タッチパネル１００では、上述のように、ベゼル１０１内の赤外発光素子１０８から凹部１０５へ赤外走査光を通過させ、また、ベゼル１０１内の赤外受光素子１０９が赤外走査光のみを受光するように、ベゼル１０１を、赤外線透過材料により成形しているが、一方で液晶表示パネル１０２を保護する為の透明ガラス基板１０３は、指示入力情報が見えるようにガラスなどの透明材料で形成していた。
【００１１】
このことから、筺体（ベゼル）１０１と、筺体１０１の凹部１０５の内底に沿って配設される透明保護板（透明ガラス基板）１０３とは、別体で形成され、凹部１０５の内底と透明保護板１０３を接着剤１１０若しくは超音波溶着等で接合し、透明保護板１０３が表示窓孔１０６を覆うようにして取り付けていた。
【００１２】
しかしながら、凹部１０５内に指やペンを挿入して指示入力操作を行う際には、指やペンの先端が透明保護板１０３に当接することがあり、透明保護板１０３を充分な強度で凹部１０５の内底へ接合しないと、内方に脱落したり、内底との間に隙間が生じることがあった。
【００１３】
また、接着や溶着による接合が表示窓孔１０６の全周で完全に行われない場合にも、凹部１０５の内底と透明保護板１０３間に隙間が生じ、この隙間から水滴や塵埃が内部に侵入するものとなっていた。特に外部に臨む凹部１０５には、このような水滴や塵埃が内底に溜まりやすく、この種の光学式タッチパネルの故障原因となっていた。
【００１４】
更に、透明保護板１０３を筺体１０１と別に成形するために、部品点数が増加し、接着などによる取り付けの手間もかかるため、コスト上昇の原因ともなっていた。
【００１５】
本発明は、このような従来の問題点を考慮してなされたものであり、透明保護板が凹部の内底から脱落することがない光学式タッチパネルを提供することを目的とする。
【００１６】
また、筺体と透明保護板との間に隙間がなく、完全な防水、防塵が得られる光学式タッチパネルを提供することを目的とする。
【００１７】
【課題を解決するための手段】
【００１８】
請求項１の光学式タッチパネルは、入力操作領域となる凹部の内底に表示窓孔が形成された筺体と、凹部の内壁面に沿った筺体内に所定の間隔で配設され、入力操作領域に赤外走査光を発光する複数の発光手段と、それぞれが凹部を挟み、対となる発光手段と対向する筺体内の部位に配設され、対となる発光手段の赤外走査光を受光する複数の受光手段と、表示窓孔を覆うように、凹部の内底に沿って配設される透明保護板と、透明保護板の内方に配設され、表示窓孔を通して外方から目視可能な指示入力情報を表示する表示パネルとを備え、指示入力情報への指示入力が入力操作領域で赤外走査光を遮断することから、入力操作領域の指示入力位置を検出する光学式タッチパネルであって、
筺体は、透明合成樹脂材料により、表示窓孔を施蓋する透明保護板と一体に成形され、赤外線透過層が筺体の表面に付着していることを特徴とする。
【００１９】
筺体の凹部の内底に形成された表示窓孔を施蓋する透明保護板を筺体と一体に成形するので、透明保護板は強固に支持され、また、凹部の内底と透明保護板との間に隙間がなく、外部から水滴や埃塵が侵入することがない。
【００２０】
透明保護板と筺体は、透明合成樹脂により成形されるので、入力操作領域から透明保護板を通して表示パネルの表示領域が目視可能であり、操作者は、指示入力情報を見ながら指示入力を行うことができる。
【００２１】
また、筺体の表面に赤外線透過層が付着するので、筺体内の発光手段から凹部へ赤外走査光を通過させ、また、赤外線以外の外来光は赤外線透過層で遮断され、赤外走査光が筺体内の受光手段に到達する。
【００２２】
請求項２の光学式タッチパネルは、赤外線透過層が、筺体と透明保護板を一体に成形する際に、筺体の表面にインモールド成形された赤外線透過インキフィルムであることを特徴とする。
【００２３】
筺体と透明保護板を一体成形する際に、同時に赤外線透過層が筺体の表面に付着される。
【００２４】
請求項３の光学式タッチパネルは、入力操作領域となる凹部の内底に表示窓孔が形成された筺体と、凹部の内壁面に沿った筺体内に所定の間隔で配設され、入力操作領域に赤外走査光を発光する複数の発光手段と、それぞれが凹部を挟み、対となる発光手段と対向する筺体内の部位に配設され、対となる発光手段の赤外走査光を受光する複数の受光手段と、表示窓孔を覆うように、凹部の内底に沿って配設される透明保護板と、透明保護板の内方に配設され、表示窓孔を通して外方から目視可能な指示入力情報を表示する表示パネルとを備え、指示入力情報への指示入力が入力操作領域で赤外走査光を遮断することから、入力操作領域の指示入力位置を検出する光学式タッチパネルであって、
筺体は、透明合成樹脂材料により、表示窓孔を施蓋する透明保護板と一体に成形され、筺体と透明保護板の表面は、筺体と透明保護板を一体に成形する際にインモールド成形された赤外透過インキと遮光インキとハードコートインキからなるインキフイルムで覆われ、筺体の凹部の内壁面と、凹部の内壁面を除く筺体の表面と、透明保護板の表面に、それぞれインキフィルムの赤外線透過インキと遮光インキとハードコートインキが付着していることを特徴とする。
【００２５】
筺体の凹部の内底に形成された表示窓孔を施蓋する透明保護板を筺体と一体に成形するので、透明保護板は強固に保持され、凹部の内底と透明保護板との間に隙間がなく、外部から水滴や埃塵が侵入することがない。
【００２６】
透明保護板は、透明合成樹脂により成形されるので、入力操作領域から透明保護板を通して表示パネルの表示領域が目視可能であり、また、筺体と一体成形する際に、同時にハードコートインキが表面に付着されるので、指示入力により指などが当接しても、表面が傷つきにくく、美感を損なわない。
【００２７】
筺体の凹部の内壁の表面に、筺体と透明保護板を一体成形する際に、同時に赤外線透過インキが付着されるので、発光手段から凹部へ赤外走査光を通過させ、また、凹部から赤外走査光が筺体内の受光手段に到達する。
【００２８】
凹部の内壁面を除く筺体の表面に、筺体と透明保護板を一体成形する際に、同時に遮光インキが付着されるので、赤外線以外の外来光を遮断し、受光手段に到達させない。
【００２９】
請求項４の光学式タッチパネルは、入力操作領域となる凹部の内底に表示窓孔が形成された筺体と、凹部の内壁面に沿った筺体内に所定の間隔で配設され、入力操作領域に赤外走査光を発光する複数の発光手段と、それぞれが凹部を挟み、対となる発光手段と対向する筺体内の部位に配設され、対となる発光手段の赤外走査光を受光する複数の受光手段と、表示窓孔を覆うように、凹部の内底に沿って配設される透明保護板と、透明保護板の内方に配設され、表示窓孔を通して外方から目視可能な指示入力情報を表示する表示パネルとを備え、指示入力情報への指示入力が入力操作領域で赤外走査光を遮断することから、入力操作領域の指示入力位置を検出する光学式タッチパネルであって、
赤外線透過材料から成形する筺体と、透明材料から成形する透明保護板とを一体に成形し、表示窓孔を透明保護板で施蓋することを特徴とする。
【００３０】
透明保護板と筺体を一体に成形するので、透明保護板は凹部の内底から外れたり、凹部の内底と透明保護板との間に隙間が生じることがなく、外部から水滴や埃塵が侵入することがない。
【００３１】
また、透明保護板は、透明材料により、筺体は、赤外線透過材料によりそれぞれ成形するので、透明保護板を通して表示パネルの表示領域が目視可能であり、かつ、筺体内の発光手段から凹部を介して筺体内の受光手段へ赤外走査光を通過させることができる。
【００３２】
【発明の実施の形態】
以下、本発明の第１実施の形態に係る光学式タッチパネル１を、図１と図２で説明する。本実施の形態に係る光学式タッチパネル１は、銀行に備えられた現金自動引き出し機の入力装置として用いられるもので、光学式タッチパネル１全体は、現金自動引き出し機の操作面に沿って取り付けられる。
【００３３】
光学式タッチパネル１は、液晶表示パネル４と複数対の赤外発光素子７及び赤外受光素子８を備え、これらは、合成樹脂製の筺体となるベゼル３内に収容されている。
【００３４】
ベゼル３は、現金自動引き出し機の化粧パネル２となる表面に沿って取り付けられる中空直方体状に形成され、図２に示すように、内側からフランジ部３ａを貫通するネジで化粧パネル２にネジ止めされる。
【００３５】
ベゼル３の上板には、その内側が入力操作領域１０となる長方形状の凹部９が凹設されている。凹部９の内底は、表示窓孔が形成されることにより開口しているが、この表示窓孔は、ベゼル３の内底と一体の透明保護板５により覆われている。
【００３６】
透明保護板５は、ベゼル３の一部としてベゼル３の成形の際に一体に成形されたもので、液晶表示パネル４の指示入力情報１１が目視できるように透明保護板５を透明とする必要があることから、ここでは、ベゼル３と透明保護板５を、アクリル、ポリカーボネートなどの透明合成樹脂材料を用いて成形している。
【００３７】
液晶表示パネル４は、表示領域が透明保護板５の下方に位置するようにベゼル３内に位置決めされ、入力操作領域１０から透明保護板５を介して液晶表示パネル４の表示領域が目視できるようになっている。
【００３８】
液晶表示パネル４は、指示入力を行うための任意の指示入力情報１１を表示領域の任意位置に表示することができ、これらの表示制御は、図示しない液晶ドライバーにより行われる。
【００３９】
ここでは、光学式タッチパネル１が銀行の現金自動引き出し機に用いられるので、図１に示すように、操作方法を案内する表示、現金の預け入れ、引き出しに関する表示等の指示入力情報１１が表示される。
【００４０】
複数の赤外発光素子７と赤外受光素子８は、凹部９（入力操作領域１０）周囲のベゼル３内に水平に配置されたサブ基板１５に実装され、図１に示すように、複数の赤外発光素子７は、入力操作領域１０周囲の直交するＸ方向とＹ方向に沿って内向きに等間隔で、凹部９に向かって赤外走査光を発光するように取り付けられる。また、各赤外発光素子７と対をなす赤外受光素子８は、入力操作領域１０を挟み、対となる赤外発光素子７と対向する部位に受光面を凹部９に向けて配置される。
【００４１】
ベゼル３の内壁面９Ａと外方に臨む表面３Ａの全体には、赤外線透過層となる赤外線透過塗料１２が塗布され、これにより、赤外発光素子７から発光される赤外走査光は、入力操作領域１０を通過して対となる赤外受光素子８へ到達するとともに、赤外線以外の外来光は、赤外線透過塗料１２により遮断される。従って、赤外受光素子８が、赤外線以外の自然光や蛍光灯を赤外走査光と誤認識することがない。
【００４２】
このように構成された光学式タッチパネル１の各赤外発光素子７を所定の走査タイミングで順次発光制御すると、入力操作領域１０には、図１の一点鎖線で示す網目状の走査光路が形成される。この入力操作領域１０内に、操作者がペン若しくは指をおいて指示入力すると、その指示入力位置を通過するＸ、Ｙ方向の赤外走査光が遮断される。
【００４３】
その結果、その光路上にある赤外受光素子８は、それぞれ対となる赤外発光素子７の発光タイミングで赤外走査光を受光せず、これにより指示入力位置を表すＸ、Ｙ座標が検出される。
【００４４】
入力操作領域１０には、必要に応じて、現金自動引き出し機に対する所定の命令が対応づけられた指示入力エリア１３（図中破線で表示）が仮想設定される。指示入力エリア１３は、その命令を表す指示入力情報１１の表示位置上の入力操作領域１０にＸ、Ｙ座標で表される輪郭でその周囲としきられる。
【００４５】
従って、操作者は、透明保護板５を通して液晶表示パネル４に表示される指示入力情報１１を上方から見ながら、その上方の入力操作領域１０へ指若しくはペンを挿入し、指示入力情報１１についての所定の命令を実行させることができる。
【００４６】
上述の第１実施の形態では、赤外線透過塗料１２を塗布して、赤外線透過層をベゼル３の内壁面９Ａと外方に臨む表面３Ａ全体に付着させたが、ベゼル３の成形の際に赤外線透過インキフィルムをインモールド成形し、赤外線透過層とするものであってもよい。
【００４７】
すなわち、予め赤外線透過性のインキがフイルムに付着された赤外線透過インキフィルムを、内壁面９Ａと表面３Ａに対応する部位に沿って、ベゼル３を成形する金型内の配置しておき、ベゼル３と透明保護板５を一体成形する際にインモールド成形する。
【００４８】
これにより、ベゼル３と透明保護板５を一体成形する工程で同時に、ベゼル３の表面に赤外線透過層を付着させることができる。
【００４９】
図３は、更に、赤外線透過インキの他に、遮光インキとハードコートインキを付着させたインキフイルムを、ベゼル３と透明保護板５を一体成形する際にインモールド成形した第３実施の形態に係る光学式タッチパネル２０を示すもので、図中、第１実施の形態と同一の構成には、同一の番号を付しその説明を省略する。
【００５０】
赤外線透過インキ２２はベゼル３の内壁面９Ａに、遮光インキ２３は外方に臨む表面３Ａに、ハードコートインキ２４は透明保護板５の表面５Ａに付着するように、インキフィルム上に塗り分けられ、インキフイルムは、各インキ２２、２３、２４が対応部位の表面９Ａ、３Ａ、５Ａを成形する成形面に沿うように、ベゼル３と透明保護板５を成形する金型内に配置される。
【００５１】
これにより、ベゼル３と透明保護板５を一体成形する際に上述インキフィルムがインモールド成形され、図３に示すように、ベゼル３の内壁面９Ａに赤外線透過インキ２２が、ベゼル３の表面３Ａに遮光インキ２３が、透明保護板５の表面５Ａにハードコートインキ２４が一体に付着される。
【００５２】
従って、赤外発光素子７から発光される赤外走査光は、ベゼル３の内壁面９Ａに付着する赤外線透過インキ２２を通過して赤外受光素子８に到達し、また、赤外線以外の外来光は、外方に臨むベゼル３の表面３Ａに付着する遮光インキ２３により遮られ、赤外受光素子８に到達することがなく、受光量飽和による誤動作などの恐れがない。
【００５３】
また、透明保護板５は、透明材料とするためにアクリルなど比較的柔らかい材料で成形されるが、その表面５Ａにハードコートインキ２４が付着されるので、指示入力の際にペンや指が当接しても、傷がつきにくく、入力操作領域１０の美感を損なわない。
【００５４】
このように、本実施の形態によれば、ベゼル３と透明保護板５の各部に求められる特性に応じたインキを、ベゼル３と透明保護板５を一体成形する工程で同時に対応部位の表面に付着させることができる。
【００５５】
尚、上述の第２、第３実施の形態において、赤外線透過インキの担体となるフィルムは、成形後にそのまま残しても、表面に付着するインキから剥離するものであってもよい。
【００５６】
図４は、異なる材料からなるベゼル３１と透明保護板３２を一体に成形した本発明の第４実施の形態に係る光学式タッチパネル３０を示し、図４においても、第１実施の形態と同一の構成には、同一の番号を付している。
【００５７】
この光学式タッチパネル３０では、透明性が要求される透明保護板３２を、アクリル、ポリカーボネート等の透明合成樹脂材料で成形し、赤外線透過性が要求されるベゼル３１を赤外線透過材料で成形するもので、両者を２色成形機を用いて同時に一体成形するものである。
【００５８】
この第４実施の形態によれば、一体成形により透明保護板３２は、ベゼル３１の内底に強固に固定され、また、ベゼル３１の表面に赤外線透過層を付着させることなく、赤外線以外の外来光が赤外受光素子８に到達することを防ぐことができる。
【００５９】
上述の各実施の形態において、表示パネルは、液晶表示パネル４で例示したが、所望の指示入力情報１１を表示できるものであれば、ブラウン管、プラズマディスプレーなど他の表示装置であってもよい。
【００６０】
【発明の効果】
以上説明したように、請求項１乃至請求項４の発明によれば、透明保護板が筺体の凹部内底に密着するように一体に成形されるので、透明保護板が脱落することがなく、また凹部の内底において透明保護板との間に隙間なくなり、水滴や埃塵の侵入を完全に遮断できる。
【００６１】
請求項２と請求項３の発明によれば、これに加えて、筺体と透明保護板を一体成形する際に、同時に赤外線透過層を筺体の表面に付着させることができる。
【００６２】
また、請求項３の発明によれば、更に、透明保護板にハードコート層を成形の際に同時に形成することかできる。
【図面の簡単な説明】
【図１】本発明の第１実施の形態に係る光学式タッチパネル１の斜視図である。
【図２】光学式タッチパネル１の縦断面図である。
【図３】第３実施の形態に係る光学式タッチパネル２０の縦断面図である。
【図４】第４実施の形態に係る光学式タッチパネル３０の縦断面図である。
【図５】従来の光学式タッチパネル１００の縦断面図である。
【符号の説明】
１、２０、３０  光学式タッチパネル
３、３１        筺体（ベゼル）
３Ａ            表面
４              表示パネル（液晶表示パネル）
５、３２        透明保護板
５Ａ            透明保護板の表面
７              発光手段（赤外発光素子）
８              受光手段（赤外受光素子）
９              凹部
９Ａ            内壁面
１０            入力操作領域
１１            指示入力情報
１２            赤外線透過層
２２            赤外透過インキ
２３            遮光インキ
２４            ハードコートインキ
【図１】
2004318258.tif 000003
【図２】
2004318258.tif 000004
【図３】
2004318258.tif 000005
【図４】
2004318258.tif 000006
【図５】
2004318258.tif 000007